(57)【特許請求の範囲】
【請求項１】
媒体上に現像剤を用いて画像を形成する画像形成部を有する画像形成装置であって、
前記画像形成部により媒体上に転写された現像剤像を熱定着させる定着部材、及び前記定着部材を内包すると共に、前記媒体を挿入するための挿入口が形成された筺体を有する定着部と、
前記筺体に対して取り替え可能に配設され、搬送ルートの周辺に飛散した前記現像剤を付着する現像剤付着手段と、を備え、
前記現像剤付着手段の一部は、前記挿入口の上部を覆い隠す、
ことを特徴とする画像形成装置。
【請求項２】
前記現像剤付着手段は、前記筺体の、前記画像形成部と対面する面に設けられる、
ことを特徴とする請求項１に記載された画像形成装置。
【請求項３】
前記現像剤付着手段は、
前記筺体の表面を覆うトナー付着シートとして構成され、
前記トナー付着シートを、前記筺体から取り外すことで取り替え可能である、
ことを特徴とする請求項１又は請求項２に記載された画像形成装置。
【請求項４】
前記トナー付着シートは、耐熱性の塩化ビニルを材料とする、
ことを特徴とする請求項３に記載された画像形成装置。
【請求項５】
前記トナー付着シートは、粘着シート又は、取り付け具を用いて配設される、
ことを特徴とする請求項３又は請求項４に記載された画像形成装置。
【請求項６】
前記画像形成部が前記現像剤像を形成する回数をカウントし、前記カウントが所定値を超えた場合に前記トナー付着シートの取り替え指示を出力部に出力させる取替指示部を、
さらに備えることを特徴とする請求項３ないし請求項５の何れか１項に記載された画像形成装置。
【請求項７】
前記トナー付着シートは、前記媒体の搬送面より上方に特定して配設される、
ことを特徴とする請求項３ないし請求項６の何れか１項に記載された画像形成装置。
【請求項８】
前記現像剤付着手段の両端は、前記定着部の筺体の上方まで延在する延在部を有する、ことを特徴とする請求項１に記載の画像形成装置。
【請求項９】
前記定着部の筺体は、前記現像剤付着手段を取り付けるための位置決め部が形成されている、ことを特徴とする請求項８に記載の画像形成装置。
【請求項１０】
媒体上に現像剤を用いて画像を形成する画像形成部を有する画像形成装置であって、
前記画像形成部により媒体上に転写された現像剤像を熱定着させる定着部材、及び前記定着部材を内包する筺体を有する定着部と、
搬送ルートの周辺に飛散した前記現像剤を付着する現像剤付着手段と、を備え、
前記現像剤付着手段は、
前記定着部材に近接する前記筺体の表面付近に回動自在に配設され、断面視多角形のトナー付着体の周面に形成される複数の付着領域の１つとして構成され、
前記複数の付着領域は、前記トナー付着体の回動状態により、前記筺体の外部に露出する付着領域が異なることで他の付着領域と取り替え可能である、
ことを特徴とする画像形成装置。
【請求項１１】
転写部により媒体上に転写された現像剤像を熱定着させる定着部材と、
前記定着部材を内包すると共に、前記媒体を挿入するための挿入口が形成された筺体と、
前記筺体に対して取り替え可能に配設され、搬送ルートの周辺に飛散した前記現像剤を付着する現像剤付着手段と、を備え、
前記現像剤付着手段の一部は、前記挿入口の上部を覆い隠す、
ことを特徴とする定着装置。
【請求項１２】
前記現像剤付着手段の両端は、前記筺体の上方まで延在する延在部を有する、ことを特徴とする請求項１１に記載の定着装置。
【請求項１３】
前記筺体は、前記現像剤付着手段を取り付けるための位置決め部が形成されている、ことを特徴とする請求項１２に記載の定着装置。
【発明の詳細な説明】
【技術分野】
【０００１】
本発明は、媒体に転写された現像剤像を熱定着する画像形成装置、及び定着装置に関する。
【背景技術】
【０００２】
媒体としての記録紙に未定着の粉体のトナー(現像剤)が飛散し、飛散したトナーが記録紙が通過する搬送路(搬送ルート)上に付着・堆積すると、記録紙の染みや画像汚れの原因になる。その為、従来では、搬送ルート(例えば、定着前ガイド)上に付着するトナーを、静電気力を用いて弾き飛ばすことにより記録紙の染みや画像汚れを抑制していた（特許文献１参照）。
【先行技術文献】
【特許文献】
【０００３】
【特許文献１】特開２０１０−０８５７９９号公報
【発明の概要】
【発明が解決しようとする課題】
【０００４】
しかしながら、特許文献１に記載された技術では、記録紙の裏面をガイドする定着前ガイドからトナー(現像剤)を弾き飛ばすように構成されているので、定着部材を内包する筐体の上部(例えば、記録紙が挿入する入り口の上部など)にトナーが付着し、これが堆積していくと、あるとき、トナー(現像剤)の塊として、搬送中の記録紙上に落ちてくることがあるという問題があった。
【０００５】
本発明は、前記問題に鑑みてなされたものであり、定着部材を内包する筺体に付着した現像剤を排除することができる画像形成装置、及び定着装置を提供することを目的とする。
【課題を解決するための手段】
【０００６】
前記課題を解決するため、本発明に係る画像形成装置は、媒体上に現像剤を用いて画像を形成する画像形成部を有する画像形成装置であって、前記画像形成部により媒体上に転写された現像剤像を熱定着させる定着部材、及び前記定着部材を内包すると共に、前記媒体を挿入するための挿入口が形成された筺体を有する定着部と、前記筺体に対して取り替え可能に配設され、搬送ルートの周辺に飛散した前記現像剤を付着する現像剤付着手段と、を備え、前記現像剤付着手段の一部は、前記挿入口の上部を覆い隠す、ことを特徴とする。
【発明の効果】
【０００７】
本発明によれば、定着部材を内包する筺体に付着した現像剤を排除することができる。
【図面の簡単な説明】
【０００８】
【図１】第１実施形態に係るプリンタの外観斜視図である。
【図２】第１実施形態に係るプリンタの概略断面図である。
【図３】第１実施形態に係る定着部の構成を説明するための図であり、（ａ）が定着部のＡ−Ａ縦断面図であり、（ｂ）が定着部の正面図である。
【図４】第１実施形態に係る定着部の外観斜視図である。
【図５】第２実施形態に係る定着部の構成を説明するための図であり、（ａ）が定着部のＢ−Ｂ縦断面図であり、（ｂ）が定着部の正面図である。
【図６】第２実施形態に係る回転体の外観斜視図である。
【図７】第２実施形態に係る回転体の構成を説明するための図であり、（ａ）が回転体の要部拡大斜視図（１）であり、（ｂ）が回転体の要部拡大斜視図（２）である。
【図８】第２実施形態に係るダイヤル番号を説明するための図である。
【図９】第１実施形態に係る定着部の変形例を説明するための図である。
【発明を実施するための形態】
【０００９】
以下、図面を参照して、本発明の実施の形態につき詳細に説明する。
なお、各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１０】
［第１実施形態］
≪第１実施形態に係る画像形成装置の構成≫
図１及び図２を参照して、画像形成装置としてのプリンタ１の構成について説明する。図１は、第１実施形態に係る画像形成装置としてのプリンタ１の外観斜視図である。図２は、第１実施形態に係る画像形成装置としてのプリンタ１の概略縦断面図である。
【００１１】
画像形成装置としてのプリンタ１は、プリンタ本体１ａの正面に設けられ、液晶ディスプレイを有する操作パネル１ｂと、プリンタ本体１ａの側面に設けられ、下辺を回転軸として開閉可能であり、開状態で印刷用の媒体Ｓを上部に蓄積可能な手差しトレイ２ａと、プリンタ１の下部に設けられ、内部に印刷用の媒体Ｓを収納可能な給紙トレイ２ｂと、手差しトレイ２ａから媒体Ｓを給紙する給紙ローラ３ａと、給紙トレイ２ｂから媒体Ｓを給紙する給紙ローラ３ｂと、給紙ローラ３ａ，３ｂを通過した媒体Ｓをプリンタ本体１ａの内部を下流に向かう方向(矢印Ａ方向)に搬送する搬送ローラ４と、現像部６、及び転写部７で構成され、搬送ローラ４を通過した媒体Ｓにトナー像を形成する画像形成部５と、画像形成部５が媒体Ｓ上に形成したトナー像を媒体Ｓに定着する定着部１１と、定着部１１の近傍に配設され媒体Ｓを定着部１１から排出する搬送ローラ１４と、搬送ローラ１４を通過した媒体Ｓをプリンタ本体１ａの内部を下流に向かう方向(矢印Ｃ方向)に搬送する搬送ローラ１５と、搬送ローラ１５を通過した媒体Ｓをプリンタ本体１ａの外部に排出する排出ローラ１６と、記憶部８０と、制御部９０とで構成される。続いて、画像形成部５、定着部１１、記憶部８０、及び制御部９０の構成について詳細に説明する。
【００１２】
＜画像形成部＞
画像形成部５は、搬送方向に一列に並べられ、各構成がシアン（Ｃ）／イエロ（Ｙ）／マゼンタ（Ｍ）／ホワイト（Ｗ）の各色のトナー像（現像剤像）を形成する現像部６と、各色のトナー像の元となる静電潜像を感光ドラム６ａに形成する光ヘッド１ｄと、現像部６の下部に配設され、現像部６が形成したトナー像を媒体Ｓに転写する転写部７とで構成される。以下では、各構成を詳細に説明する。
【００１３】
（現像部、光ヘッド）
現像部６は、感光ドラム６ａと、帯電ローラ６ｂと、トナーカートリッジ６ｃと、供給ローラ６ｄと、現像ローラ６ｅとで構成される。
感光ドラム６ａは、所定の回転速度で回転可能であり、表面に電荷を蓄える感光層が形成され、光ヘッド１ｄによる露光によって表面の電荷を除去することができる。帯電ローラ６ｂは、一定の圧力で感光ドラム６ａの表面に接触し、所定電圧を印加することで感光ドラム６ａを帯電する。光ヘッド１ｄは、感光ドラム６ａの上部に配設され、露光によって感光ドラム６ａの表面の電荷を除去することで、表面に静電潜像を形成する。
【００１４】
トナーカートリッジ６ｃは、各色の現像剤(トナー)が収納される。供給ローラ６ｄは、現像ローラ６ｅと一定の圧力で接触し、トナーカートリッジ６ｃから供給されたトナーを現像ローラ６ｅに供給する。現像ローラ６ｅは、所定のバイアス電圧が印加され、現像ローラ６ｅと感光ドラム６ａに形成される静電潜像との間の電位差(電界)により、供給ローラ６ｄを介して供給されたトナーを静電潜像に移動させる。これにより、感光ドラム６ａに形成される静電潜像が現像され、トナー像が感光ドラム６ａ上に形成される。
【００１５】
（転写部）
転写部７は、各々の現像部６の下部に配設される転写ローラ８と、転写ベルト９と、駆動ローラ１０ａと、従動ローラ１０ｂとで構成される。
転写ローラ８は、感光ドラム６ａに形成されるトナー像と逆の極性のバイアス電圧が印加される。転写ベルト９は、導電材料にて形成され、転写ローラ８のバイアス電圧が伝達される。これにより、転写ベルト９上を搬送される媒体Ｓ上に、感光ドラム６ａ上に形成されるトナー像がクーロン力により転写される。駆動ローラ１０ａは、転写ベルト９の一方を懸架し、回転することで転写ベルト９上の媒体Ｓを矢印Ｂ方向に搬送する。従動ローラ１０ｂは、転写ベルト９の他方を懸架し、転写ベルト９を介することで、駆動ローラ１０ａに従動して回転する。
【００１６】
＜定着部＞
図３ないし図４を参照し、第１実施形態に係る定着部１１の構成を説明する。図３の（ａ）は、第１実施形態に係る定着部１１のＡ−Ａ縦断面図であり、（ｂ）は第１実施形態に係る定着部１１の正面図である。図４は、第１実施形態に係る定着部１１の外観斜視図である。
【００１７】
定着部１１は、内部の定着熱発生器(例えば、ハロゲンランプ)によって熱せられ、転写部７により転写された媒体Ｓ上のトナー像を熱定着する加熱ローラ１２と、媒体Ｓを挟んで加熱ローラ１２と対向する位置に配設され、加熱ローラ１２に押圧する加圧ローラ１３と、加熱ローラ１２及び加圧ローラ１３を内包し、媒体Ｓを挿入する挿入口１１ｂ、挿入口１１ｂが形成される面と対向する面に形成され、媒体Ｓが排出する排出口１１ｃ、及びプリンタ１(図１参照)のユーザが定着部１１をプリンタ１から取り出す際に把持するコの字状(Ｕ字状)の把持部１１ｄが形成される筺体１１ａと、飛散するトナーが付着し、正方形状の粘着シート１８(図３(ｂ)では３枚)を用いて挿入口１１ｂの上部に接着されることで、取り替え可能なトナー付着シート１７と、を備える。以降では、現像部６に対向する面(本実施形態では、挿入口１１ｂが形成される面とも言える)を、定着部１１の正面と呼ぶこととする。また、加熱ローラ１２及び加圧ローラ１３を、定着部材と呼ぶ場合がある。以下では、トナー付着シート１７の詳細を説明する。
【００１８】
（トナー付着シート）
現像剤付着手段としてのトナー付着シート１７は、媒体Ｓに定着される前のトナー像を形成する一部のトナーや、搬送ルート上に付着したトナーが飛散した場合に、この飛散したトナー(以下「飛散トナー」と呼ぶ場合がある)が付着する付着部１７ａを表面に有する。付着部１７ａは、定着部１１が温度上昇した場合に、熱変形しない程度の耐熱性を備えると共にトナーが付着しやすい材料(例えば、耐熱性のＰＶＣ(塩化ビニル))で形成される。なお、トナー付着シート１７の表面に限らず、トナー付着シート１７の全体を付着部１７ａで構成してもよい。
【００１９】
また、トナー付着シート１７は、両端が上方に延在する延在部１７ｂを有し、延在部１７ｂが定着部１１の上方に突出する。そのため、プリンタ１(図１参照)のユーザは、延在部１７ｂを掴むことで定着部１１に接触することなくトナー付着シート１７を新しいものに取り替えることが可能になる。これにより、定着部１１が高温である場合でも、ユーザが火傷をする虞がない。
なお、定着部１１の正面に、トナー付着シート１７を取り替える際に位置決めとなるマーク１９を刻印等の手段を用いて形成するのが好適である。これにより、プリンタ１(図１参照)のユーザは、トナー付着シート１７の取り替えを容易に行うことができる。
【００２０】
（記憶部）
記憶部８０は、ＲＡＭ（Random Access Memory）、ＲＯＭ（Read Only Memory）、ＨＤＤ（Hard Disk Drive）、フラッシュメモリ等の記憶媒体から構成される。
記憶部８０には、プリンタ１に接続される図示せぬ上位装置(例えば、ＰＣ)から送信される印刷画像データや、プリンタ１が稼働するために必要な情報を格納している。また、記憶部８０は、トナー付着シート１７の取替時期に関する取替時期情報が格納される。本実施形態では、取替時期は、画像形成部５が印刷する枚数に対応付けて、印刷枚数が所定値を超えた場合(例えば、２万５千枚を超えた場合)とする。
【００２１】
（制御部）
制御部９０は、ＣＰＵ（Central Processing Unit）によるプログラム実行処理や、専用回路等により実現される。
制御部９０は、プリンタ１内の装置(画像形成部５など)を制御し、プリンタ１に接続される図示せぬ上位装置から送信される印刷画像データに基づく印刷画像を媒体Ｓ上に形成する。また、制御部９０は、画像形成部５が印刷画像を形成する回数をカウントし、カウントが記憶部８０に格納される取替時期情報を超えた場合に、トナー付着シート１７の取替指示を出力部としての操作パネル１ｂに出力する。ここで、取替指示は、例えば「トナー付着シートを新品と取り替えて下さい」の画像とする。なお、以下では、制御部９０を「取替指示部」と呼ぶ場合がある。
以上で、第１実施形態に係る画像形成装置としてのプリンタ１の説明を終了する。
【００２２】
≪第１実施形態に係る画像形成装置の動作≫
＜画像形成動作＞
図２(適宜図３参照)を参照して、画像形成装置としてのプリンタ１の画像形成動作について説明する。
プリンタ１に接続される図示せぬ上位装置(例えば、ＰＣ)から印刷命令を受信すると、プリンタ１の制御部９０は、手差しトレイ２ａに蓄積される媒体Ｓに当接する給紙ローラ３ａや給紙トレイ２ｂに収納される媒体Ｓに当接する給紙ローラ３ｂを駆動する。これにより、媒体Ｓは、搬送ローラ４を経由して図１の矢印Ａ方向に搬送され、画像形成部５に到達する。
【００２３】
続いて、制御部９０は、駆動ローラ１０ａを駆動して、媒体Ｓを図１の矢印Ｂ方向に搬送する。その過程で、制御部９０は、光ヘッド１ｄ、現像部６、転写部７などを制御し、印刷命令と共に受信した印刷画像データに基づくトナー像を媒体Ｓに形成する。続いて、制御部９０は、定着部１１を駆動して、加熱ローラ１２や加圧ローラ１３により加えられる熱と圧力により、トナー像を媒体Ｓの表面に定着させる。そして、制御部９０は、搬送ローラ１４、搬送ローラ１５や排出ローラ１６を駆動し、媒体Ｓをプリンタ本体１ａの外部に排出させる。
以上で、第１実施形態に係る画像形成装置としてのプリンタ１の画像形成動作の説明を終了する。
【００２４】
＜トナー付着シートの取り替えに関する動作＞
続いて、図３及び図４を参照して、画像形成装置としてのプリンタ１のトナー付着シート１７の取り替えに関する動作について説明する。
前記した画像形成動作において、定着部１１は、加熱ローラ１２に熱源(例えば、ハロゲンランプ)を有する為に絶えず熱を放出する。このため、プリンタ１内部の定着部１１と現像部６との間には、常に上向きの空気の対流が発生している。また、媒体Ｓが定着部１１に挿入する際に加わる振動により、媒体Ｓの表面でトナー像を形成しているトナーの一部は、媒体Ｓから飛散する。そして、飛散した飛散トナーは、上向きの空気の対流に乗ることで定着部１１の前面に配設されるトナー付着シート１７まで上昇し、トナー付着シート１７の付着部１７ａに熱で融着し、固着する。
【００２５】
一方、制御部(取替指示部)９０は、画像形成部５がトナー像を形成する回数をカウントし、カウントが記憶部８０に格納される取替時期情報を超えた場合に、トナー付着シート１７の取替指示(「トナー付着シートを新品と取り替えて下さい」の画像)を出力部としての操作パネル１ｂに出力する。そして、トナー付着シート１７の取替指示の表示を見たユーザは、定着部１１の把持部１１ｄを把持して定着部１１をプリンタ１から取り出し、トナー付着シート１７を新品のものに取り替える。
以上で、第１実施形態に係る画像形成装置としてのプリンタ１のトナー付着シート１７の取り替えに関する動作の説明を終了する。
【００２６】
以上のように、第１実施形態に係る画像形成装置としてのプリンタ１は、定着部１１の前面にトナーのトナー付着シート１７を備えることで、プリンタ１内を飛散した飛散トナーがトナー付着シート１７に付着する。そして、このトナー付着シート１７は取り替え可能な部材なので、付着した飛散トナーが積み重なってトナーの塊となる前に、取り替えることができる。すなわち、第１実施形態に係る画像形成装置としてのプリンタ１は、定着部１１と現像部６との間に舞った飛散トナーを排除することができる。
特に、白色のトナーは、他の色のトナーに比べて粒子が細かく、鉄の成分を多めに含んでいるのでトナーの塊となりやすいと考えられるので、白色のトナーを用いる場合、第１実施形態に係る画像形成装置としてのプリンタ１は特に有効である。
【００２７】
また、トナー付着シート１７を取替可能(着脱可能)にする事により、トナー固着により本来備えている定着部１１の寿命より早期に取り替える必要性が無くなる為、定着部１１の寿命を延命することが可能になるという効果も奏する。
【００２８】
［第２実施形態］
≪第２実施形態に係る画像形成装置の構成≫
以下、第２実施形態に係る画像形成装置の構成について説明する。第１実施形態に係る画像形成装置としてのプリンタ１と、第２実施形態に係る画像形成装置としてのプリンタ１Ａ(図示せず)との違いは、定着部１１が定着部１１Ａに変更された点である。以下では、第２実施形態に係るプリンタ１Ａ(図示せず)の構成の内、第１実施形態から変更されている構成のみを説明する。
【００２９】
＜定着部＞
図５ないし図８を参照し、第２実施形態に係る定着部１１Ａの構成を説明する。図５の（ａ）は、第２実施形態に係る定着部１１ＡのＢ−Ｂ縦断面図であり、（ｂ）は第２実施形態に係る定着部１１Ａの正面図である。図６は、第２実施形態に係る回転体３０の外観斜視図である。図７の（ａ）は、第２実施形態に係る回転体３０の要部拡大斜視図（１）であり、（ｂ）は第２実施形態に係る回転体３０の要部拡大斜視図（２）である。図８は、第２実施形態に係るダイヤル番号３２ａを説明するための図である。
【００３０】
定着部１１Ａは、トナー付着シート１７に代えて、筺体１１ａ内部の挿入口に近接する位置の上方に回転体３０を配設する。また、回転体３０のダイヤル３２が筺体１１ａの外部から視認できるようにするための切り欠き部１１ｅや、回転体３０のシャフト３１を回動自在に端部(又は端部付近)で支えるサイドフレーム１１ｆが形成される。なお、定着部１１Ａのその他の構成については、第１実施形態に係る定着部１１と同様であるため説明を省略する。以下では、回転体３０の詳細を説明する。
【００３１】
（回転体）
回転体３０は、シャフト３１と、ダイヤル３２と、位置決めギヤ３３と、板バネ３４と、トナー付着体３６とを備える。
トナー付着体３６は、シャフト３１と一体的に形成され、飛散トナーが付着する付着領域としての付着領域３６ａを複数有し、断面視多角形(図６では断面視四角形)の多角柱状体である。
ダイヤル３２は、シャフト３１が軸通し、円柱形状に形成され、付着領域３６ａを識別する付着領域識別情報としてのダイヤル番号３２ａが周面に記載される。ダイヤル番号３２ａは、例えば、トナー付着体３６に４つの付着領域３６ａが形成される場合に、図８に示すように「Ｎｏ．１」、「Ｎｏ．２」、「Ｎｏ．３」、「Ｎｏ．４」のように記載する。ダイヤル番号３２ａは、筺体１１ａの切り欠き部１１ｅを介して外部から視認できる。そのため、プリンタ１Ａ(図示せず)のユーザは、定着部１１Ａの正面に来ている付着領域３６ａが何れなのかを筺体１１ａの切り欠き部１１ｅを介してダイヤル番号３２ａで確認することができる。
【００３２】
位置決めギヤ３３は、シャフト３１が軸通し、付着領域３６ａの数と同数の矩形状の凹部３３ａ(図６では４つ)と円弧状の凸部３３ｂ(図６では４つ)をその周面に等角度間隔で有する。そして、位置決めギヤ３３は、板バネ３４の突起部３４ａが何れかの凹部３３ａに係合することで、ダイヤル３２の回転位置(定着部１１Ａの前面に来る付着領域３６ａ)を決めている。すなわち、ダイヤル３２を回転させると、位置決めギヤ３３も回転し、凹部３３ａに板バネ３４の突起部３４ａが係合する毎に位置決めされる。
板バネ３４は、先端の位置決めギヤに対向する面に突起部３４ａを有し、板バネ３４の本体部３４ｂで発生する付勢力(図７の矢印Ｅ方向)を用いて、突起部３４ａを位置決めギヤ３３に押圧する。
以上で、第２実施形態に係る画像形成装置としてのプリンタ１Ａの説明を終了する。
【００３３】
≪第２実施形態に係る画像形成装置の動作≫
＜画像形成動作＞
第２実施形態に係る画像形成装置としてのプリンタ１Ａ(図示せず)の画像形成動作は、第１実施形態に係る画像形成装置としてのプリンタ１(図１参照)と同様であるので説明を省略する。
【００３４】
＜付着領域の取り替えに関する動作＞
図５ないし図７を参照して、画像形成装置としてのプリンタ１の付着領域の取り替えに関する動作について説明する。
前記した画像形成動作において、定着部１１Ａは、加熱ローラ１２に熱源(例えば、ハロゲンランプ)を有する為に絶えず熱を放出する。このため、プリンタ１Ａ(図示せず)内部の定着部１１Ａと現像部６との間には、常に上向きの空気の対流が発生している。また、媒体Ｓが定着部１１Ａに挿入する際に加わる振動により、媒体Ｓの表面でトナー像を形成しているトナーの一部は、媒体Ｓから飛散する。そして、飛散した飛散トナーは、上向きの空気の対流に乗ることで定着部１１Ａの挿入口１１ｂ付近に配設される回転体３０まで上昇し、前面にきている付着領域３６ａに熱で融着し、固着する。
【００３５】
一方、制御部(取替指示部)９０は、画像形成部５がトナー像を形成する回数をカウントし、カウントが記憶部８０に格納される取替時期情報を超えた場合に、付着領域３６ａの取り替え指示(回転体３０の回転指示)を出力部としての操作パネル１ｂに出力する。付着領域３６ａの取り替え指示(回転体３０の回転指示)は、例えば「Ｎｏ．２にダイヤルを設定してください」とする。そして、付着領域３６ａの取り替え指示(回転体３０の回転指示)の表示を見たユーザは、定着部１１の把持部１１ｄを把持して定着部１１をプリンタ１から取り出し、定着部１１Ａの切り欠き部１１ｅから露出するダイヤル３２を指で回転させ、ダイヤル番号３２ａを付着領域３６ａの取り替え指示(回転体３０の回転指示)のもの(ここでは、「Ｎｏ．２」)に合わせる。これにより、回転体３０が回転し、切り欠き部１１ｅを介して視認できるダイヤル番号３２ａに対応する新たな付着領域３６ａが前面に配設される。
以上で、第２実施形態に係る画像形成装置としてのプリンタ１Ａの動作の説明を終了する。
【００３６】
以上のように、第１実施形態に係る画像形成装置としてのプリンタ１Ａは、定着部１１Ａの挿入口１１ｂ付近に回転体３０を備えることで、プリンタ１Ａ内を飛散した飛散トナーが回転体３０の現像剤付着手段としての付着領域３６ａに付着する。そして、この付着領域３６ａは、回転体３０が回転することにより取り替え可能なので、付着した飛散トナーが積み重なってトナーの塊となる前に、取り替えることができる。すなわち、第２実施形態に係る画像形成装置としてのプリンタ１Ａは、第１実施形態に係る画像形成装置としてのプリンタ１と同様に、定着部１１Ａと現像部６との間に舞った飛散トナーを排除することができる。
【００３７】
また、回転体３０を断面視多角形(図６では断面視四角形)の多角柱状体にする事により、回転体３０自体の取り替えをせずに、回転体３０を回転させることで付着領域３６ａが取り替えられるので、取り替え作業が第１実施形態よりも容易であるという効果も奏する。
【００３８】
［変形例］
以上、本発明の実施形態について説明したが、本発明はこれに限定されるものではなく、その趣旨を変えない範囲で実施することができる。実施形態の変形例を以下に示す。
【００３９】
＜画像形成装置＞
第１実施形態及び第２実施形態では、画像形成装置の一例としてプリンタ１，１Ａを説明したが、電子写真方式の複写機、複合機、ファクシミリ等の画像形成装置にも同様に利用可能である。
【００４０】
＜トナー付着シートの固定手段＞
第１実施形態では、トナー付着シート１７が、粘着シート１８(図３では３枚)を用いて挿入口１１ｂの上部に接着されていたが、図９に示すように、定着部１１の前面の挿入口１１ｂの上部にトナー付着シート１７を取り付ける取り付け具１８Ｂを形成するようにしてもよい。ここで、取り付け具１８Ｂの形態は、特に限定されず、種々の形態を適用することが可能である。
【００４１】
＜出力部＞
第１実施形態及び第２実施形態では、出力部の一例として液晶ディスプレイを有する操作パネル１ｂを説明したが、出力部として警告ランプやスピーカを用いることも可能である。そして、警告ランプの点滅やスピーカからの音声等により、トナー付着シート１７の取替指示や付着領域３６ａの取り替え指示(回転体３０の回転指示)を行うようにしてもよい。
【符号の説明】
【００４２】
１，１Ａ    プリンタ（画像形成装置）
１ａ    プリンタ本体
１ｂ    操作パネル（出力部）
１ｄ    光ヘッド
５      画像形成部
６      現像部
７      転写部
１１，１１Ａ，１１Ｂ    定着部（定着装置）
１１ａ  筺体
１１ｄ  把持部
１１ｅ  切り欠き部
１２    加熱ローラ（定着部材）
１３    加圧ローラ（定着部材）
１７    トナー付着シート（現像剤付着手段）
１７ａ  付着部
１７ｂ  延在部
１８    粘着シート
１９    マーク
３０    回転体
３１    シャフト
３２    ダイヤル
３２ａ  ダイヤル番号
３３    位置決めギヤ
３４    板バネ
３６    トナー付着体
３６ａ  付着領域（現像剤付着手段）
８０    記憶部
９０    制御部（取替指示部）
Ｓ      媒体
【図１】
0005638028.tif 000002
【図２】
0005638028.tif 000003
【図３】
0005638028.tif 000004
【図４】
0005638028.tif 000005
【図５】
0005638028.tif 000006
【図６】
0005638028.tif 000007
【図７】
0005638028.tif 000008
【図８】
0005638028.tif 000009
【図９】
0005638028.tif 000010